(57)【要約】  【課題】  クーポンの発行及びクーポン情報の送受信を繰り返すことなく、紹介者と被紹介者とを仲介して、簡便に紹介者に特典を付与することができる特典情報生成システム、該特典情報生成システムを構成する中央装置、該中央装置を実現するコンピュータプログラム、及び特典情報生成方法を提供する。  【解決手段】  中央処理装置３は、被紹介者の紹介を欲する紹介者の携帯電話機１に仲介情報を送信し、被紹介者の携帯電話機１から送信された仲介情報が、紹介者に送信した仲介情報を一致する場合に、仲介情報に基づいて紹介者と被紹介者とを関連付けるとともに、被紹介者の携帯電話機１に所望の優待情報を送信する。被紹介者の携帯電話機１に送信した優待情報が利用された場合に、中央処理装置３は、仲介情報に基づいて紹介者に付与する特典を特定する特典情報を生成する。【選択図】      図１
2006221373.tif 000002
【特許請求の範囲】
【請求項１】
第１の端末装置で優待情報を取得し、該優待情報が利用された場合に、第２の端末装置に関連する特典を特定する特典情報を中央装置で生成する特典情報生成システムにおいて、
前記中央装置は、
前記第２の端末装置を識別する第２の識別情報、及び前記第１の端末装置が取得した優待情報を識別する優待識別情報を取得する取得手段と、
取得した第２の識別情報と、前記第１の端末装置及び第２の端末装置を仲介するための仲介情報とを関連付けて記憶する記憶手段と、
前記仲介情報を前記第２の端末装置へ送信する送信手段と
を備え、
前記第２の端末装置は、
前記中央装置が送信した仲介情報を受信する受信手段を備え、
前記第１の端末装置は、
前記第１の端末装置を識別する第１の識別情報及び前記第１の端末装置及び第２の端末装置を仲介するための仲介情報を前記中央装置へ送信する送信手段と
を備え、
前記中央装置は、
前記第１の識別情報及び仲介情報を受信する受信手段と、
受信した仲介情報と記憶してある仲介情報とを照合する照合手段と
をさらに備え、
前記中央装置は、
受信した仲介情報と記憶してある仲介情報とが一致する場合に、前記仲介情報と第１の識別情報とを関連付けて記憶するとともに、優待情報を前記第１の端末装置へ送信するようにしてあり、
前記中央装置は、
前記優待情報の優待識別情報を取得した場合に、前記仲介情報に基づいて、前記特典情報を生成するようにしてあることを特徴とする特典情報生成システム。
【請求項２】
前記第１の端末装置の送信手段は、
前記第１の端末装置に関連する第１の認証情報を送信するようにしてあり、
前記第２の端末装置は、
該第２の端末装置に関連する第２の認証情報を送信する送信手段を備え、
前記中央装置の受信手段は、
前記第１及び第２の認証情報を受信するようにしてあり、
前記照合手段は、
前記第１及び第２の認証情報夫々を照合するようにしてあり、
前記中央装置の送信手段は、
前記第１の認証情報と第２の認証情報とが一致する場合に、前記優待情報を前記第１の端末装置へ送信するようにしてあることを特徴とする請求項１に記載の特典情報生成システム。
【請求項３】
前記第２の端末装置の送信手段は、
前記第２の端末装置の受信手段が仲介情報を受信した場合に、受信した仲介情報を前記第１の端末装置へ送信するようにしてあることを特徴とする請求項２に記載の特典情報生成システム。
【請求項４】
前記優待識別情報を取得するための店舗装置を備え、
前記店舗装置は、
前記第１の端末装置へ送信された優待情報の優待識別情報を取得する取得手段と、
取得した優待識別情報を前記中央装置へ送信する送信手段と
を備え、
前記中央装置は、
前記店舗装置が送信した優待識別情報を取得するようにしてあることを特徴とする請求項１乃至請求項３のいずれかに記載の特典情報生成システム。
【請求項５】
端末装置に関連する特典を特定するための特典情報を生成する中央装置において、
第２の端末装置を識別する第２の識別情報及び優待情報を識別する優待識別情報を取得する取得手段と、
取得した第２の識別情報と、端末装置同士を仲介する仲介情報とを関連付けて記憶する記憶手段と、
前記仲介情報を出力する出力手段と
を備え、
前記取得手段は、
第１の端末装置を識別する第１の識別情報及び端末装置同士を仲介する仲介情報を取得するようにしてあり、
取得した仲介情報と記憶してある仲介情報とを照合する照合手段をさらに備え、
前記記憶手段は、
取得した仲介情報と記憶してある仲介情報とが一致する場合に、前記仲介情報と第１の識別情報とを関連付けて記憶するようにしてあり、
前記出力手段は、
取得した仲介情報と記憶してある仲介情報とが一致する場合に、優待情報を出力するようにしてあり、
前記取得手段が、前記優待情報の優待識別情報を取得した場合に、前記仲介情報に基づいて、前記特典情報を生成するようにしてあることを特徴とする中央装置。
【請求項６】
コンピュータに、特典を特定するための特典情報を生成させるためのコンピュータプログラムにおいて、
コンピュータを、
取得した第１の識別情報に関連付けられ、端末装置同士を仲介する仲介情報と、取得した第２の識別情報に関連付けられた仲介情報とを照合する照合手段と、
前記仲介情報同士が一致する場合に、出力した優待情報を識別する優待識別情報を取得したときに、前記仲介情報に基づいて、前記特典情報を生成する生成手段と
して機能させることを特徴とするコンピュータプログラム。
【請求項７】
第１の端末装置で優待情報を取得し、該優待情報に基づいた優待を得るために所定の店舗で前記優待情報を利用し、前記店舗で利用された前記優待情報に関連する情報を中央装置で取得し、該中央装置で第２の端末装置に関連する特典を特定する特典情報を生成する特典情報生成方法において、
前記中央装置は、
前記第２の端末装置を識別する第２の識別情報を取得し、
取得した第２の識別情報と、前記第１の端末装置及び第２の端末装置を仲介する仲介情報とを関連付けて記憶し、
前記仲介情報を前記第２の端末装置へ送信し、
前記第２の端末装置は、
前記中央装置が送信した仲介情報を受信し、
前記第１の端末装置は、
前記第１の端末装置を識別する第１の識別情報及び前記第１の端末装置及び第２の端末装置を仲介する仲介情報を前記中央装置へ送信し、
前記中央装置は、
前記第１の識別情報及び仲介情報を受信し、
受信した仲介情報と記憶してある仲介情報とを照合し、
受信した仲介情報と記憶してある仲介情報とが一致する場合に、前記仲介情報と第１の識別情報とを関連付けて記憶するとともに、優待情報を前記第１の端末装置へ送信し、
前記優待情報を識別する優待識別情報を取得した場合に、前記仲介情報に基づいて、前記特典情報を生成することを特徴とする特典情報生成方法。
【発明の詳細な説明】
【技術分野】
【０００１】
本発明は、被紹介者が取得した優待情報が利用された場合に、紹介者に付与する特典を特定する特典情報を生成する特典情報生成システム、該特典情報生成システムを構成する中央装置、該中央装置を実現するためのコンピュータプログラム、及び特典情報生成方法に関する。
【背景技術】
【０００２】
紹介者が、商品又はサービスのクーポンを発行する仲介サーバ装置から商品又はサービスの内容を取得し、取得した商品又はサービスを被紹介者に紹介し、被紹介者が紹介された商品又はサービスのクーポンを仲介サーバ装置から取得し、仲介サーバ装置で紹介する商品又はサービスを取り扱う店舗などでクーポンを使用して商品又はサービスを購入した場合に、被紹介者が商品又はサービスを購入した店舗から購入情報を紹介サーバ装置へ送信し、購入情報を受信した仲介サーバ装置が紹介者に特典、報酬などを付与するシステムが提案されている。
【０００３】
例えば、紹介者の端末装置から、商品又はサービスの紹介要求を仲介サーバ装置へ送信し、仲介サーバ装置は、要求された商品又はサービスの紹介コンテンツを紹介者の端末装置へ送信する。紹介された商品又はサービスの中に気に入ったものがある場合に、紹介者は、紹介者の端末装置から商品又はサービスのクーポンを仲介サーバ装置へ要求する。仲介サーバ装置は、クーポンの取得者（紹介者）を特定したクーポンを発行し、紹介者の端末装置へクーポンを送信することにより、紹介者は、仲介サーバ装置からクーポンを取得する。紹介者は、商品又はサービスを紹介するためのクーポン情報を電子メール等で被紹介者の端末装置へ送信することにより、商品又はサービスを被紹介者に紹介する。被紹介者は、クーポン情報で紹介された商品又はサービスが気に入った場合には、被紹介者の端末装置から、気に入った商品又はサービスのクーポンの発行を仲介サーバ装置へ要求する。仲介サーバ装置は、紹介者及び被紹介者を特定したクーポンを被紹介者の端末装置へ送信し、被紹介者が受信したクーポンを用いて商品又はサービスを購入した場合に、紹介者に報酬を付与する。これにより、商品又はサービス購入の際にクーポンを利用することで情報仲介の成果を管理するとともに、紹介者に報酬を付与することができる情報仲介システムがある（特許文献１参照）。
【特許文献１】特開２００４−１７１１３６号公報
【発明の開示】
【発明が解決しようとする課題】
【０００４】
しかしながら、特許文献１のシステムにあっては、紹介者と被紹介者とを仲介するクーポン情報は、商品又はサービス毎に発行されるため、被紹介者が、紹介者から送信されたクーポン情報で紹介された商品又はサービスが気に入らない場合には、紹介者は特典を得ることができなかった。このため、紹介者は、特典を得るためには、被紹介者が気に入る商品又はサービスのクーポン情報を何度も被紹介者へ送信する必要があり、その都度クーポンの発行を行う必要があり、より簡便に紹介者へ特典を付与することができるシステムが望まれていた。
【０００５】
本発明は、斯かる事情に鑑みてなされたものであり、紹介者及び被紹介者を仲介する仲介情報を紹介者へ送信し、送信した仲介情報と被紹介者から受信した仲介情報とを照合する照合手段を備え、両方の仲介情報が一致した場合に、所望の優待情報を被紹介者の端末装置へ送信し、前記優待情報が利用された場合に、紹介者に付与する特典を特定する特典情報を生成することにより、クーポンの発行及びクーポン情報の送受信を繰り返すことなく、紹介者と被紹介者とを仲介して、簡便に紹介者に特典を付与することができる特典情報生成システム、該特典情報生成システムを構成する中央装置、該中央装置を実現するためのコンピュータプログラム、及び特典情報生成方法を提供することを目的とする。
【０００６】
また、本発明の他の目的は、紹介者の認証情報と、被紹介者の認証情報とを照合する照合手段を備えることにより、紹介者と被紹介者との関連付けをさらに確実にして、紹介者に特典を付与することができる特典情報生成システムを提供することにある。
【０００７】
また、本発明の他の目的は、第２の端末装置が仲介情報を受信した場合に、受信した仲介情報を第１の端末装置へ送信する送信手段を備えることにより、紹介者の利便性を向上することができる特典情報生成システムを提供することにある。
【課題を解決するための手段】
【０００８】
第１発明に係る特典情報生成システムは、第１の端末装置で優待情報を取得し、該優待情報が利用された場合に、第２の端末装置に関連する特典を特定する特典情報を中央装置で生成する特典情報生成システムにおいて、前記中央装置は、前記第２の端末装置を識別する第２の識別情報、及び前記第１の端末装置が取得した優待情報を識別する優待識別情報を取得する取得手段と、取得した第２の識別情報と、前記第１の端末装置及び第２の端末装置を仲介するための仲介情報とを関連付けて記憶する記憶手段と、前記仲介情報を前記第２の端末装置へ送信する送信手段とを備え、前記第２の端末装置は、前記中央装置が送信した仲介情報を受信する受信手段を備え、前記第１の端末装置は、前記第１の端末装置を識別する第１の識別情報及び前記第１の端末装置及び第２の端末装置を仲介するための仲介情報を前記中央装置へ送信する送信手段とを備え、前記中央装置は、前記第１の識別情報及び仲介情報を受信する受信手段と、受信した仲介情報と記憶してある仲介情報とを照合する照合手段とをさらに備え、前記中央装置は、受信した仲介情報と記憶してある仲介情報とが一致する場合に、前記仲介情報と第１の識別情報とを関連付けて記憶するとともに、優待情報を前記第１の端末装置へ送信するようにしてあり、前記中央装置は、前記優待情報の優待識別情報を取得した場合に、前記仲介情報に基づいて、前記特典情報を生成するようにしてあることを特徴とする。
【０００９】
第２発明に係る特典情報生成システムは、第１発明において、前記第１の端末装置の送信手段は、前記第１の端末装置に関連する第１の認証情報を送信するようにしてあり、前記第２の端末装置は、該第２の端末装置に関連する第２の認証情報を送信する送信手段を備え、前記中央装置の受信手段は、前記第１及び第２の認証情報を受信するようにしてあり、前記照合手段は、前記第１及び第２の認証情報夫々を照合するようにしてあり、前記中央装置の送信手段は、前記第１の認証情報と第２の認証情報とが一致する場合に、前記優待情報を前記第１の端末装置へ送信するようにしてあることを特徴とする。
【００１０】
第３発明に係る特典情報生成システムは、第２発明において、前記第２の端末装置の送信手段は、前記第２の端末装置の受信手段が仲介情報を受信した場合に、受信した仲介情報を前記第１の端末装置へ送信するようにしてあることを特徴とする。
【００１１】
第４発明に係る特典情報生成システムは、第１発明乃至第３発明のいずれかにおいて、前記優待識別情報を取得するための店舗装置を備え、前記店舗装置は、前記第１の端末装置へ送信された優待情報の優待識別情報を取得する取得手段と、取得した優待識別情報を前記中央装置へ送信する送信手段とを備え、前記中央装置は、前記店舗装置が送信した優待識別情報を取得するようにしてあることを特徴とする。
【００１２】
第５発明に係る中央装置は、端末装置に関連する特典を特定するための特典情報を生成する中央装置において、第２の端末装置を識別する第２の識別情報及び優待情報を識別する優待識別情報を取得する取得手段と、取得した第２の識別情報と、端末装置同士を仲介する仲介情報とを関連付けて記憶する記憶手段と、前記仲介情報を出力する出力手段とを備え、前記取得手段は、第１の端末装置を識別する第１の識別情報及び端末装置同士を仲介する仲介情報を取得するようにしてあり、取得した仲介情報と記憶してある仲介情報とを照合する照合手段をさらに備え、前記記憶手段は、取得した仲介情報と記憶してある仲介情報とが一致する場合に、前記仲介情報と第１の識別情報とを関連付けて記憶するようにしてあり、前記出力手段は、取得した仲介情報と記憶してある仲介情報とが一致する場合に、優待情報を出力するようにしてあり、前記取得手段が、前記優待情報の優待識別情報を取得した場合に、前記仲介情報に基づいて、前記特典情報を生成するようにしてあることを特徴とする。
【００１３】
第６発明に係るコンピュータプログラムは、コンピュータに、特典を特定するための特典情報を生成させるためのコンピュータプログラムにおいて、コンピュータを、取得した第１の識別情報に関連付けられ、端末装置同士を仲介する仲介情報と、取得した第２の識別情報に関連付けられた仲介情報とを照合する照合手段と、前記仲介情報同士が一致する場合に、出力した優待情報を識別する優待識別情報を取得したときに、前記仲介情報に基づいて、前記特典情報を生成する生成手段として機能させることを特徴とする。
【００１４】
第７発明に係る特典情報生成方法は、第１の端末装置で優待情報を取得し、該優待情報に基づいた優待を得るために所定の店舗で前記優待情報を利用し、前記店舗で利用された前記優待情報に関連する情報を中央装置で取得し、該中央装置で第２の端末装置に関連する特典を特定する特典情報を生成する特典情報生成方法において、前記中央装置は、前記第２の端末装置を識別する第２の識別情報を取得し、取得した第２の識別情報と、前記第１の端末装置及び第２の端末装置を仲介する仲介情報とを関連付けて記憶し、前記仲介情報を前記第２の端末装置へ送信し、前記第２の端末装置は、前記中央装置が送信した仲介情報を受信し、前記第１の端末装置は、前記第１の端末装置を識別する第１の識別情報及び前記第１の端末装置及び第２の端末装置を仲介する仲介情報を前記中央装置へ送信し、前記中央装置は、前記第１の識別情報及び仲介情報を受信し、受信した仲介情報と記憶してある仲介情報とを照合し、受信した仲介情報と記憶してある仲介情報とが一致する場合に、前記仲介情報と第１の識別情報とを関連付けて記憶するとともに、優待情報を前記第１の端末装置へ送信し、前記優待情報を識別する優待識別情報を取得した場合に、前記仲介情報に基づいて、前記特典情報を生成することを特徴とする。
【００１５】
第１発明、第５発明、第６発明及び第７発明は、被紹介者の端末装置である第１の端末装置と、紹介者の端末装置である第２の端末装置と、紹介者と被紹介者とを仲介するため仲介情報を紹介者に送信する中央装置とを備えることにより実現される。紹介者が被紹介者を紹介するための紹介者登録の要求を前記中央装置へ送信する。前記中央装置は、紹介者に仲介情報としてのＵＲＬを送信し、該仲介情報を受信した紹介者は、前記仲介情報を被紹介者へ通知する。被紹介者が仲介情報を前記中央装置へ送信し、該中央装置は、被紹介者から送信された仲介情報が、紹介者に送信した仲介情報と一致する場合に、仲介情報に基づいて紹介者と被紹介者とを関連付けるとともに、被紹介者に優待情報を選択させるための選択画面を送信し、被紹介者が選択した優待情報を被紹介者へ送信する。被紹介者に送信した優待情報が利用された場合に、仲介情報に基づいて紹介者に付与する特典を特定する特典情報を生成する。
【００１６】
すなわち、紹介者が、店舗に備えられた店舗装置を用いて紹介者登録を行う。中央装置は、前記店舗装置から、紹介者の端末装置である第２の端末装置を識別する第２の識別情報を取得し、取得した第２の識別情報と、第１の端末装置及び第２の端末装置を仲介する仲介情報としてのＵＲＬとを関連付けて記憶する。前記中央装置は、前記第２の識別情報に関連付けられた仲介情報を前記第２の端末装置へ送信する。前記第２の端末装置は、前記仲介情報を受信する。これにより、紹介者は、被紹介者を紹介するための仲介情報を取得する。紹介者は、取得した仲介情報を被紹介者へ通知する。
【００１７】
紹介者から仲介情報を取得した被紹介者は、仲介情報に基づいて中央装置へアクセスすることにより、被紹介者の端末装置である第１の端末装置は、該第１の端末装置を識別する第１の識別情報及び第１の端末装置及び第２の端末装置を仲介する仲介情報を前記中央装置へ送信する。前記中央装置は、前記第１の端末装置が送信した第１の識別情報及び仲介情報を受信し、受信した仲介情報と記憶してある仲介情報とを照合し、受信した仲介情報と記憶してある仲介情報とが一致する場合に、前記仲介情報と前記第１の識別情報とを関連付けて記憶するとともに、被紹介者に優待情報を選択させるための選択画面を送信し、被紹介者が選択した優待情報を前記第１の端末装置へ送信する。前記第１の端末装置は、前記優待情報を受信する。これにより、被紹介者は優待情報を取得する。
【００１８】
被紹介者が取得した優待情報を店舗又はインターネット上の仮想店舗で利用した場合、前記中央装置は、前記店舗に設けられた店舗装置又は仮想店舗の装置から、前記優待情報を識別する優待識別情報を取得する。前記中央装置は、前記仲介情報を介して前記第１の端末装置と関連付けられた前記第２の端末装置に、該第２の端末装置に関連する特典を特定する特典情報を生成する。これにより、被紹介者を紹介した紹介者に付与する特典を生成する。
【００１９】
第２発明にあっては、前記第１の端末装置は、該第１の端末装置に関連する第１の認証情報を前記中央装置へ送信する。前記第２の端末装置は、該第２の端末装置に関連する第２の認証情報を前記中央装置へ送信する。前記中央装置は、前記第１の認証情報及び第２の認証情報を受信し、受信した第１の認証情報及び第２の認証情報を照合する。前記中央装置は、前記第１の認証情報と第２の認証情報とが一致する場合に、優待情報を前記第１の端末装置へ送信する。
【００２０】
第３発明にあっては、前記第２の端末装置は、前記中央装置が送信した仲介情報を受信し、受信した仲介情報を前記第１の端末装置へ送信する。
【００２１】
第４発明にあっては、店舗装置は、前記第１の端末装置へ送信された優待情報の優待識別情報を取得し、取得した優待識別情報を前記中央装置へ送信する。該中央装置は、前記店舗装置が送信した優待識別情報を取得する。
【発明の効果】
【００２２】
第１発明、第４発明、第５発明、第６発明及び第７発明にあっては、被紹介者の紹介を欲する紹介者の要求に基づいて、紹介者に仲介情報を送信し、被紹介者から送信された仲介情報が、紹介者に送信した仲介情報と一致する場合に、仲介情報に基づいて紹介者と被紹介者とを関連付けるとともに、被紹介者が選択した優待情報を被紹介者へ送信する。被紹介者に送信した優待情報が利用された場合に、仲介情報に基づいて紹介者に付与する特典を特定する特典情報を生成することにより、紹介者が被紹介者に商品又はサービスのクーポン情報を繰り返して送信することなく、また、クーポンの発行を繰り返すことなく、被紹介者は、紹介者が気に入った商品又はサービスのクーポンではなく、仲介情報に基づいて所望の優待情報を中央装置から取得することができるとともに、優待情報が利用された場合には、前記仲介情報に基づいて紹介者に特典を付与することができる。
【００２３】
第２発明にあっては、第１の認証情報と第２の認証情報とを照合することにより、不正に仲介情報が使用された場合であっても、紹介者と被紹介者との関連付けをさらに確実にして、紹介者に特典を付与することができる。
【００２４】
第３発明にあっては、第２の端末装置が仲介情報を受信した場合に、受信した仲介情報を第１の端末装置へ送信する送信手段を備えることにより、紹介者から被紹介者へ確実に仲介情報を送信することができ、紹介者の利便性を向上することができる。
【発明を実施するための最良の形態】
【００２５】
以下、本発明を実施の形態を示す図面に基づいて説明する。図１は本発明の特典情報生成システムの構成を示す説明図である。図において、１は紹介者又は被紹介者などのユーザが携行する携帯電話機である。携帯電話機１、１、…は、図示しない無線ネットワーク、基地局装置、ゲートウェイ装置などを介して通信回線４に接続される。通信回線４には、商品又はサービスを提供する店舗Ａ、Ｂ、…に備えられた端末装置２、２、…を接続してあり、端末装置２、２、…には、チラシ又はクーポンに記録されたバーコードを読み取る読取装置２ａ、２ａ、…を接続してある。また、通信回線４には、紹介者に付与する特典を特定する特典情報、被紹介者に送信するクーポン情報などを生成する中央処理装置３を接続してある。
【００２６】
図２は携帯電話機１の構成を示すブロック図である。図において、１２は通信部である。通信部１２は、無線によるデータ通信機能と、音声信号及びデジタル信号の間で変換を行う符号化復号機能とを備え、データ通信機能を用いて通信回線４を介して中央処理装置３との通信を行う。これにより、例えば、ユーザ登録のための情報の送受信、仲介情報としてのＵＲＬの送受信、クーポン情報の受信などを行う。
【００２７】
操作部１３は、文字入力用の各種キーを備えている。表示部１４は、液晶ディスプレイを備え、後述する記憶部１５に記憶されたブラウザ１５１が、中央処理装置３から送信された画面情報を解釈することにより、紹介者情報登録用画面、クーポン発行用画面、クーポン選択用画面などの所定の画面を表示する。また、表示部１４は、中央処理装置３から送信されたクーポン情報をバーコード形式で表示する。これにより、店舗Ａ、Ｂ、…に備えられた読取装置２ａ、２ａ、…は、バーコード形式でクーポン情報を読み取ることができる。
【００２８】
記憶部１５は、ブラウザ１５１、中央処理装置３とのデータの送受信を処理するＨＴＴＰ（Hyper Text Transfer Protocol）処理部１５２、通信回線４に接続されたメールサーバ（図示せず）を介して他の携帯電話機１との間で電子メールの送受信を行う電子メール処理部１５３を記憶してある。なお、電子メール処理部１５３は、所定のＵＲＬを受信したことを検出した場合に、前記ＵＲＬに電子メール処理部１５３を起動する起動プログラムを添付しておくことにより、起動するようにしてある。
【００２９】
制御部１１は、通信部１２、操作部１３、表示部１４の動作を制御するとともに、記憶部１５への情報の書き込み、及び記憶部１５からの情報の読み出しを制御する。記憶部１５に記憶されたブラウザ１５１は、携帯電話機１を中央処理装置３へアクセスする際に、中央処理装置３に存在する画面情報を特定するＵＲＬを使ってアクセスをする。このＵＲＬは、ＨＴＴＰ（Hyper Text Transfer Protocol）を示すスキーム名、中央処理装置３に接続するための情報を示すドメイン名及び中央処理装置３内の画面情報の位置を示すパス名から構成されている。
【００３０】
電子メール処理部１５３は、電子メールの受信、電子メール本文に添付されたＵＲＬへのアクセス、ブラウザ１５１の起動などを行う。これにより、ＵＲＬが添付された電子メールを受信した携帯電話機１は、前記ＵＲＬで特定される情報を、画面に表示する。
【００３１】
また、電子メール処理部１５３は、電子メール本文への文字、図形、ＨＴＴＰ処理部１５２で受信したＵＲＬなどの挿入を行うとともに、所要のデータを添付した電子メールを他の携帯電話機１へ送信する。
【００３２】
図３は店舗に備えられた端末装置２の構成を示すブロック図である。図において、２２は通信部である。通信部２２は、通信回線４を介して中央処理装置３との間でデータの送受信を行う。
【００３３】
バーコード読取部２３には、読取装置２ａを接続してあり、バーコード読取部２３は、読取装置２ａで読み取ったバーコードを所定のテキストに変換する。変換されたバーコードは、通信部２２を介して中央処理装置３へ送信される。
【００３４】
入出力部２４には、キーボード、マウス、ディスプレイなどを接続してあり、店舗の店員による操作を受付ける。
【００３５】
記憶部２６は、店舗を特定するための店舗ＩＤ２６１、ユーザ登録画面、クーポン使用画面などディスプレイに表示する画面情報を記憶してある。
【００３６】
ＣＰＵ２１は、ＲＡＭ２５に読み込まれたプログラムを実行することにより、通信部２２、バーコード読取部２３、入出力部２４の動作を制御するとともに、記憶部２６の情報の読み出し動作、書き込み動作を制御する。
【００３７】
図４は中央処理装置３の構成を示すブロック図である。中央処理装置３は、本発明のコンピュータプログラムＰＧを記録したＣＤ−ＲＯＭ３５１からコンピュータプログラムＰＧを読み込む記録部３５、コンピュータプログラムＰＧを一時的に記憶するＲＡＭ３２、通信回線４を介して携帯電話機１、１、…、店舗に備えられた端末装置２、２、…に接続するための通信部３３、マウス、キーボード、ディスプレイなどの入出力部３４、各種データベースを記憶する記憶部３６、及びコンピュータプログラムＰＧを実行するＣＰＵ３１を備えている。
【００３８】
記憶部３６は、紹介者に関する紹介者情報を記憶した紹介者データベース３６１、紹介者に関する情報と被紹介者に関する情報とを仲介情報に関連付けて記憶した仲介情報データベース３６２、被紹介者に発行したクーポン情報を記憶するクーポン情報データベース３６３、紹介者に付与する特典を示す特典情報を記憶した特典情報データベース３６４を記憶してある。ＣＰＵ３１は、コンピュータプログラムＰＧの実行に伴って、これらの各種データベースにアクセスする。
【００３９】
また、記憶部３６は、紹介者と被紹介者とを関連付けるための仲介情報としての所定のＵＲＬ部３６５を記憶してある。ＵＲＬ部３６５は、紹介者毎に割り当てられるＵＲＬを複数記憶してあり、ＵＲＬに関連付けて、クーポンを選択するための画面情報、ＵＲＬに関する説明文、電子メール処理部１５３を起動するプログラムなどを記憶してある。
【００４０】
中央処理装置３は、ＣＤ−ＲＯＭ３５１に記録したコンピュータプログラムＰＧがＲＡＭ３２に読み込まれ、読み込まれたコンピュータプログラムＰＧをＣＰＵ３１で実行することにより、携帯電話機１からの要求に応じて、携帯電話機１の画面で表示させる情報をページ記述言語であるＣ−ＨＴＭＬ（Compact Hyper Text Markup Language）で記述されたＣ−ＨＴＭＬファイル（画面情報）として作成し、作成した画面情報を携帯電話機１、１、…へ送信する。これにより、携帯電話機１、１、…に備えられたブラウザが送信された画面情報を解析し画面上に所要の情報を表示する。
【００４１】
また、中央処理装置３は、携帯電話機１、１、…から送信された情報を受信し、受信した情報に基づいて、記憶部３６に記憶された各種データベースにアクセスして、所要の処理を行う。
【００４２】
図５は紹介者データベース３６１の構成を示すレコードレイアウトである。紹介者データベース３６１は、イベント会場、店舗などで取得したチラシ、中央処理装置３又は所定のサーバ装置（図示せず）などから取得したクーポンを携行し、前記チラシ又はクーポンを用いて、所定の店舗において友人などを紹介する紹介者に関する情報を記憶してある。
【００４３】
紹介者データベース３６１は、中央処理装置３が紹介者毎に生成する紹介者のユーザＩＤ、紹介者の携帯電話機の電話番号、紹介者の氏名、住所、電子メールアドレス、紹介者が店舗で使用したクーポン（又はチラシ）のクーポンＩＤ、紹介者が前記クーポンを使用した店舗の店舗ＩＤの各欄により構成してある。
【００４４】
図６は仲介情報データベース３６２の構成を示すレコードレイアウトである。仲介情報データベース３６２は、仲介情報として使用されるＵＲＬに関連付けて紹介者及び被紹介者に関する情報を記憶してある。
【００４５】
仲介情報データベース３６２は、紹介者のユーザＩＤ、紹介者の携帯電話機の電話番号、紹介者が任意に決定したパスワード（例えば、任意の数字列、自分の携帯電話機の電話番号の下４桁の数字など）、紹介者と被紹介者とを関連付けるＵＲＬ、被紹介者の携帯電話機の電話番号、被紹介者が紹介者から通知されたパスワードの各欄により構成してある。
【００４６】
図７はクーポン情報データベース３６３の構成を示すレコードレイアウトである。クーポン情報データベース３６３は、被紹介者が、紹介者から紹介された者であることが確認された場合に、被紹介者に提供されるクーポンを特定するクーポン情報を記憶してある。
【００４７】
クーポン情報データベース３６３は、被紹介者に発行されるクーポンのクーポンＩＤ、被紹介者により選択されたクーポンの内容（例えば、ポイント付与する場合のポイント数、商品又はサービスを購入する場合の割引額など）、クーポンの発行日、クーポンを使用することができる有効期限、被紹介者の携帯電話機の電話番号の各欄により構成してある。
【００４８】
図８は特典情報データベース３６４の構成を示すレコードレイアウトである。特典情報データベース３６４は、被紹介者に対して発行されたクーポンが使用された場合に、被紹介者を紹介した紹介者に付与する特典を特定する特典情報を記憶してある。
【００４９】
特典情報データベース３６４は、被紹介者が使用したクーポンのクーポンＩＤ、発行されたクーポンに応じて設定してある特典内容（例えば、キャッシュバック）、特典を付与される紹介者の氏名、住所、電子メールアドレスの各欄により構成してある。
【００５０】
次に、本発明に係る特典情報生成システムの処理手順について説明する。図９はユーザ登録の手順を示すフローチャートである。チラシ又はクーポンを携行した紹介者が、所定の店舗でチラシ又はクーポンを使用し、ユーザ登録を行う場合、店員の操作により店舗の端末装置２は、ユーザ登録画面を表示する（Ｓ１０１）。
【００５１】
紹介者又は店員が、チラシ又はクーポンに記録されたバーコードを読取装置２ａに近づけると、端末装置２は、クーポンのバーコードを読み取る（Ｓ１０２）。店員は、端末装置２で表示された画面上で紹介者の携帯電話機１の電話番号を入力する（Ｓ１０３）。端末装置２は、読み取ったバーコードに記録されたクーポンＩＤ、入力された電話番号、予め記憶してある店舗ＩＤを中央処理装置３へ送信し（Ｓ１０４）、中央処理装置３からの応答待ちをする（Ｓ１０５）。
【００５２】
店舗の端末装置２からの応答待ち（Ｓ１０６）であった中央処理装置３は、ステップＳ１０４で端末装置２から送信されたクーポンＩＤ、電話番号、店舗ＩＤを受信し（Ｓ１０７）、紹介者用のユーザＩＤを生成する（Ｓ１０８）。中央処理装置３は、生成したユーザＩＤ、受信した電話番号、クーポンＩＤ、店舗ＩＤを紹介者データベース３６１に記憶し（Ｓ１０９）、ユーザ登録完了のメッセージを端末装置２へ送信し（Ｓ１１０）、処理を終了する。
【００５３】
端末装置２は、ステップＳ１１０で中央処理装置３から送信されたユーザ登録完了のメッセージを受信し（Ｓ１１１）、処理を終了する。
【００５４】
図１０及び図１１は仲介情報取得の手順を示すフローチャートである。中央処理装置３は、新たに生成されたユーザＩＤに基づいて、ユーザの登録の有無を判定し（Ｓ２０１）、ユーザの登録が無い場合は（Ｓ２０１でＮＯ）、ステップＳ２０１の処理を続ける。ユーザの登録が有る場合は（Ｓ２０１でＹＥＳ）、中央処理装置３は、予め記憶してあるＵＲＬの中から所定のＵＲＬを特定し（Ｓ２０２）、特定したＵＲＬ、ユーザ登録を行った紹介者のユーザＩＤ、電話番号を仲介情報データベース３６２に記憶する（Ｓ２０３）。これにより、仲介情報であるＵＲＬに関連付けて紹介者のユーザＩＤ、電話番号を記憶する。中央処理装置３は、特定したＵＲＬに関連する所定の説明文とともに、特定したＵＲＬを紹介者の携帯電話機１へ送信し（Ｓ２０４）、紹介者の携帯電話機１からの応答待ちをする（Ｓ２０５）。
【００５５】
中央処理装置３からの応答待ち（Ｓ２０６）であった紹介者の携帯電話機１は、ステップＳ２０４で中央処理装置３から送信された所定の説明文とともに、ＵＲＬを受信し（Ｓ２０７）、紹介者情報登録画面の要求を中央処理装置３へ送信し（Ｓ２０８）、中央処理装置３からの応答待ちをする（Ｓ２０９）。
【００５６】
中央処理装置３は、ステップＳ２０８で紹介者の携帯電話機１から送信された紹介者情報登録画面の要求を受信し（Ｓ２１０）、紹介者情報登録画面情報を紹介者の携帯電話機１へ送信し（Ｓ２１１）、紹介者の携帯電話機１からの応答待ちをする（Ｓ２１２）。
【００５７】
紹介者の携帯電話機１は、ステップＳ２１１で中央処理装置３から送信された紹介者情報登録画面情報を受信し（Ｓ２１３）、紹介者情報登録画面を表示する（Ｓ２１４）。紹介者は、紹介者の氏名、住所、電子メールアドレス、パスワードなどの紹介者情報を入力する（Ｓ２１５）。紹介者の携帯電話機１は、入力された紹介者情報を中央処理装置３へ送信する（Ｓ２１６）。
【００５８】
中央処理装置３は、ステップＳ２１６で紹介者の携帯電話機１から送信された紹介者情報を受信し（Ｓ２１７）、受信した紹介者の氏名、住所、電子メールアドレスを紹介者データベース３６１に記憶し（Ｓ２１８）、受信したパスワードを仲介情報データベース３６２に記憶し（Ｓ２１９）、処理を終了する。
【００５９】
一方、紹介者の携帯電話機１は、特定のＵＲＬを受信することにより、メーラ（電子メール処理部１５３）を起動し（Ｓ２２０）、受信したＵＲＬ、所定の説明文、入力したパスワードをメール本文に挿入する（Ｓ２２１）。紹介者は、被紹介者の電子メールアドレスを入力し（Ｓ２２２）、電子メールの送信操作をすると、紹介者の携帯電話機１は、電子メールを被紹介者の携帯電話機１へ送信し（Ｓ２２３）、処理を終了する。これにより、中央処理装置３から紹介者の携帯電話機１へ送信されたＵＲＬは、被紹介者の携帯電話機１へ送信され、被紹介者は、仲介情報としてのＵＲＬを取得する。
【００６０】
図１２乃至図１４はクーポン情報発行の手順を示すフローチャートである。被紹介者の携帯電話機１は、紹介者からの電子メールを受信し（Ｓ３０１）、電子メールに添付されたＵＲＬを受信し、受信したＵＲＬを中央処理装置３へ送信し（Ｓ３０２）、中央処理装置３からの応答待ちをする（Ｓ３０３）。
【００６１】
被紹介者の携帯電話機１からの応答待ち（Ｓ３０４）であった中央処理装置３は、ステップＳ３０２で被紹介者の携帯電話機１から送信されたＵＲＬを受信し（Ｓ３０５）、受信したＵＲＬが仲介情報データベース３６２に有るか否かを判定する（Ｓ３０６）。受信したＵＲＬが仲介情報データベース３６２に無い場合は（Ｓ３０６でＮＯ）、中央処理装置３は、クーポン発行不可画面情報を被紹介者の携帯電話機１へ送信し（Ｓ３０７）、処理を終了する。
【００６２】
受信したＵＲＬが仲介情報データベース３６２に有る場合は（Ｓ３０６でＹＥＳ）、中央処理装置３は、クーポン発行画面情報を被紹介者の携帯電話機１へ送信し（Ｓ３０８）、被紹介者の携帯電話機１からの応答待ちをする（Ｓ３０９）。
【００６３】
被紹介者の携帯電話機１は、中央処理装置３から送信された画面情報を受信し（Ｓ３１０）、受信した画面情報がクーポン発行画面情報か否かを判定し（Ｓ３１１）、受信した画面情報がクーポン発行画面情報でない場合は（Ｓ３１１でＮＯ）、クーポン発行不可画面を表示して（Ｓ３１２）、処理を終了する。
【００６４】
受信した画面情報がクーポン発行画面情報である場合は（Ｓ３１１でＹＥＳ）、被紹介者の携帯電話機１は、クーポン発行画面を表示する（Ｓ３１３）。被紹介者は、クーポン発行画面で、被紹介者の携帯電話機１の電話番号、紹介者から通知されたパスワードを入力する（Ｓ３１４）。被紹介者の携帯電話機１は、入力された電話番号、パスワードを中央処理装置３へ送信し（Ｓ３１５）、中央処理装置からの応答待ちをする（Ｓ３１６）。
【００６５】
中央処理装置３は、ステップＳ３１５で被紹介者の携帯電話機１から送信された電話番号、パスワードを受信し（Ｓ３１７）、被紹介者のパスワードと紹介者のパスワードとが一致するか否かを判定する（Ｓ３１８）。被紹介者のパスワードと紹介者のパスワードとが一致しない場合は（Ｓ３１８でＮＯ）、中央処理装置３は、クーポン発行不可画面情報を被紹介者の携帯電話機１へ送信し（Ｓ３１９）、処理を終了する。
【００６６】
被紹介者のパスワードと紹介者のパスワードとが一致する場合は（Ｓ３１８でＹＥＳ）、中央処理装置３は、被紹介者の電話番号、パスワードを仲介情報データベース３６２に記憶する（Ｓ３２０）。これにより、ＵＲＬに基づいて、紹介者の情報と被紹介者の情報とが関連付けて記憶される。中央処理装置３は、クーポン選択画面情報を被紹介者の携帯電話機１へ送信し（Ｓ３２１）、被紹介者の携帯電話機１からの応答待ちをする（Ｓ３２２）。
【００６７】
被紹介者の携帯電話機１は、中央処理装置３から送信された画面情報を受信し（Ｓ３２３）、受信した画面情報がクーポン選択画面情報か否かを判定し（Ｓ３２４）、受信した画面情報がクーポン選択画面情報でない場合は（Ｓ３２４でＮＯ）、クーポン発行不可画面を表示して（Ｓ３２５）、処理を終了する。
【００６８】
受信した画面情報がクーポン選択画面情報である場合は（Ｓ３２４でＹＥＳ）、被紹介者の携帯電話機１は、クーポン選択画面を表示する（Ｓ３２６）。被紹介者は、クーポン選択画面に表示された複数のクーポンから好みのクーポンを選択する（Ｓ３２７）。被紹介者の携帯電話機１は、選択されたクーポンの発行要求を中央処理装置３へ送信し（Ｓ３２８）、中央処理装置３からの応答待ちをする（Ｓ３２９）。
【００６９】
中央処理装置３は、ステップＳ３２８で被紹介者の携帯電話機１から送信されたクーポンの発行要求を受信し（Ｓ３３０）、クーポンＩＤ、クーポンの内容、発行日、有効期限、被紹介者の電話番号などのクーポン情報を生成する（Ｓ３３１）。中央処理装置３は、生成したクーポン情報をクーポン情報データベース３６３に記憶し（Ｓ３３２）、クーポン情報を被紹介者の携帯電話機１へ送信し（Ｓ３３３）、処理を終了する。
【００７０】
被紹介者の携帯電話機１は、ステップＳ３３３で中央処理装置３から送信されたクーポン情報を受信し（Ｓ３３４）、受信したクーポン情報を記憶して（Ｓ３３５）、処理を終了する。これにより、被紹介者は、好みのクーポン情報を取得する。
【００７１】
図１５は特典情報生成の手順を示すフローチャートである。被紹介者が店舗でクーポンを使用する場合、店員の操作により店舗の端末装置２は、クーポン使用画面を表示する（Ｓ４０１）。被紹介者が、携帯電話機１に記憶してあるクーポン情報を表示部１４でバーコードとして表示させ、表示したバーコードを読取装置２ａに近づけると、端末装置２は、クーポン情報を読み取る（Ｓ４０２）。店員は、端末装置２で表示された画面上で被紹介者の携帯電話機１の電話番号を入力する（Ｓ４０３）。端末装置２は、読み取ったクーポン情報からクーポンＩＤ、被紹介者の電話番号、予め記憶してある店舗ＩＤを中央処理装置３へ送信し（Ｓ４０４）、処理を終了する。これにより、被紹介者は、クーポン情報に記録されたクーポンの内容に応じて、ポイントの付与、商品等の購入代金の割引などを受けることができる。
【００７２】
店舗の端末装置２からの応答待ち（Ｓ４０５）であった中央処理装置３は、ステップＳ４０４で端末装置２から送信されたクーポンＩＤ、被紹介者の電話番号、店舗ＩＤを受信し（Ｓ４０６）、受信したクーポンＩＤがクーポン情報データベース３６３に有るか否かを判定する（Ｓ４０７）。受信したクーポンＩＤがクーポン情報データベース３６３に有る場合は（Ｓ４０７でＹＥＳ）、中央処理装置３は、受信した被紹介者の電話番号に基づいて、仲介情報データベース３６２を検索して、紹介者のユーザＩＤ、電話番号を取得する（Ｓ４０８）。
【００７３】
中央処理装置３は、取得した紹介者のユーザＩＤ、電話番号に基づいて、紹介者データベース３６１を検索し、紹介者の氏名、住所、電子メールアドレスなどの紹介者情報を取得する（Ｓ４０９）。中央処理装置３は、取得した紹介者情報に基づいて、使用されたクーポンＩＤ、クーポンに応じて設定された特典内容、紹介者情報などの特典情報を生成し（Ｓ４１０）、生成した特典情報を特典情報データベース３６４に記憶し（Ｓ４１１）、処理を終了する。一方、受信したクーポンＩＤがクーポン情報データベース３６３に無い場合は（Ｓ４０７でＮＯ）、中央処理装置３は、処理を終了する。これにより、生成された特典情報に基づいて、紹介者の住所宛てにキャッシュバックなどの特典を付与するための案内状の送付をすることができ、また、予め紹介者の銀行などの口座番号を登録しておくことにより、キャッシュバックに相当する金額を紹介者の口座に振り込むことができる。また、キャッシュバックの内容を電子メールで紹介者へ送信することもできる。
【００７４】
以上説明したように、本発明にあっては、中央処理装置３は、予め記憶してある仲介情報としてのＵＲＬを紹介者の携帯電話機１へ送信し、紹介者の携帯電話機１から送信されたＵＲＬを被紹介者の携帯電話機１で受信し、被紹介者の携帯電話機１は、受信したＵＲＬを中央処理装置３へ送信し、中央処理装置３は、受信したＵＲＬと記憶してあるＵＲＬとが一致する場合に、被紹介者は確かに紹介者から紹介されたものであるとして、クーポン情報を被紹介者の携帯電話機１へ送信し、クーポンが所定の店舗などにおいて被紹介者により利用された場合に、紹介者に付与する特典情報を生成することにより、紹介者と被紹介者との間でクーポンの送受信を繰り返すことなく、簡便に紹介者に特典を付与することができる。また、商品又はサービスの内容に拘わらず、紹介者と被紹介者とを関連付けて、紹介者に特典を付与することができる。
【００７５】
また、クーポン情報を発行する際に、被紹介者の好みに応じて、クーポンの内容を選択することができ、紹介者から紹介された商品又はサービスに限定されることなく、被紹介者の好みのクーポンを取得することができる。
【００７６】
また、中央処理装置３は、紹介者及び被紹介者の携帯電話機１から送信されたパスワードを照合し、両方のパスワードが一致した場合に、被紹介者にクーポン情報を発行することにより、紹介者と被紹介者との関連付けをさらに確実にして、紹介者に特典を付与することができる。
【００７７】
また、紹介者の携帯電話機１が、仲介情報としてのＵＲＬを受信した場合に、電子メール処理部１５３が起動して、受信したＵＲＬを被紹介者の携帯電話機１へ送信することにより、紹介者から被紹介者へ確実にＵＲＬを送信することができ、紹介者の利便性を向上することができる。
【００７８】
上述の実施の形態においては、仲介情報としてのＵＲＬは、紹介者毎に割り当てられる構成であったが、これに限定されるものではなく、複数の紹介者に共通のＵＲＬを使用する構成であってもよく、また、特定のＵＲＬをすべての紹介者に対して使用する構成であってもよい。
【００７９】
上述の実施の形態において、紹介者から紹介されてクーポンを取得した被紹介者が、クーポンを利用する際にユーザ登録をし、他の者を紹介することもできる。これにより、クーポンの利用、特典の付与などの利用頻度を高めることができる。
【００８０】
上述の実施の形態において、クーポン情報は、バーコード形式のものを用いる構成であったが、バーコード形式は、一次元に限らず、ＱＲコードなどの二次元バーコードであってもよい。また、クーポン情報は、バーコード形式に限らず、文字情報、静止画又は動画などの画像情報、音声情報などを用いる構成であってもよい。この場合には、クーポン情報の形態に応じて、読取装置に代えて、クーポン情報の読取可能な装置を用いることができる。
【００８１】
上述の実施の形態においては、仲介情報としてのＵＲＬを中央装置３から携帯電話機１へ送信する構成であったが、中央装置３が送信したＵＲＬを一旦店舗の端末装置２で記憶しておき、端末装置２から携帯電話機１へ送信する構成でもよく、また、端末装置２から電子メール、赤外線通信などでＵＲＬを送信してもよい。また、端末装置２にメモリステイックなどの記録媒体を設けておき、ＵＲＬを記録媒体に記録して、紹介者に渡す構成であってもよい。
【００８２】
上述の実施の形態において、店舗は、クーポンを利用することができる施設であれば、どのような形態のものでもよく、イベント会場、公共施設などの設置された仮店舗のようなものでもよい。また、インターネット上の仮想店舗であってもよい。
【００８３】
上述の実施の形態においては、紹介者、被紹介者は携帯電話機を使用する構成であったが、これに限定されるものではなく、ノート型パーソナルコンピュータ、ＰＤＡなどの情報通信装置を使用することも可能である。
【００８４】
上述の実施の形態において、各種データベースのレコードレイアウトは一例であって、これに限定されるものではない。
【００８５】
上述の実施の形態においては、クーポン情報を中央処理装置３で生成する構成であったが、これに限定されるものではなく、予めクーポン情報を記憶したサーバ装置を備えておき、中央処理装置３を介して前記サーバ装置に記憶したクーポン情報を取得して、第２の端末装置へ送信する構成であってもよい。また、中央処理装置３に代えて、別のサーバ装置でクーポン情報を生成する構成であってもよい。
【図面の簡単な説明】
【００８６】
【図１】本発明の特典情報生成システムの構成を示す説明図である。
【図２】携帯電話機の構成を示すブロック図である。
【図３】店舗に備えられた端末装置の構成を示すブロック図である。
【図４】中央処理装置の構成を示すブロック図である。
【図５】紹介者データベースの構成を示すレコードレイアウトである。
【図６】仲介情報データベースの構成を示すレコードレイアウトである。
【図７】クーポン情報データベースの構成を示すレコードレイアウトである。
【図８】特典情報データベースの構成を示すレコードレイアウトである。
【図９】ユーザ登録の手順を示すフローチャートである。
【図１０】仲介情報取得の手順を示すフローチャートである。
【図１１】仲介情報取得の手順を示すフローチャートである。
【図１２】クーポン情報発行の手順を示すフローチャートである。
【図１３】クーポン情報発行の手順を示すフローチャートである。
【図１４】クーポン情報発行の手順を示すフローチャートである。
【図１５】特典情報生成の手順を示すフローチャートである。
【符号の説明】
【００８７】
１  携帯電話機
２  端末装置
２ａ  読取装置
３  中央処理装置
１１  制御部
１２  通信部
１３  操作部
１４  表示部
１５  記憶部
２１  ＣＰＵ
２２  通信部
２３  バーコード読取部
２４  入出力部
２５  ＲＡＭ
２６  記憶部
３１  ＣＰＵ
３２  ＲＡＭ
３３  通信部
３４  入出力部
３５  記録部
３６  記憶部
３６１  紹介者データベース
３６２  仲介情報データベース
３６３  クーポン情報データベース
３６４  特典情報データベース
３６５  ＵＲＬ部
【図１】
2006221373.tif 000003
【図２】
2006221373.tif 000004
【図３】
2006221373.tif 000005
【図４】
2006221373.tif 000006
【図５】
2006221373.tif 000007
【図６】
2006221373.tif 000008
【図７】
2006221373.tif 000009
【図８】
2006221373.tif 000010
【図９】
2006221373.tif 000011
【図１０】
2006221373.tif 000012
【図１１】
2006221373.tif 000013
【図１２】
2006221373.tif 000014
【図１３】
2006221373.tif 000015
【図１４】
2006221373.tif 000016
【図１５】
2006221373.tif 000017